(57)【要約】【課題】回折格子の角度と位置の調整精度を向上させた光ヘッドの製造方法と光ヘッドと光記録再生装置を提供する。【解決手段】光ビームを発生する光源と、光源から出射した光ビームを案内溝を含む光記録媒体に導く光学手段と、光ビームを光記録媒体に収束させる集光手段とをハウジングに有し、記録再生する光ヘッドであって、光源から光記録媒体までの光路に光ビームが光源から出射した後３つ以上の光ビームに分離する複数の異なる格子３１，３２，３３から成る回折格子５，６を有し、ハウジング２１には、回折格子５，６の光ビームに垂直な平面内での回転角度調整用に１種類の格子のみに光源からの光ビームを照射できるように回折格子をスライドすることができる隙間２７，２８を設けている。【選択図】  図１
2009020976.tif 000002
【特許請求の範囲】
【請求項１】
光ビームを発生する光源と、該光源から出射した光ビームを案内溝を含む光記録媒体に導く光学手段と、前記光ビームを前記光記録媒体に収束させる集光手段とをハウジングに有し、記録再生する光ヘッドであって、
前記光源から前記光記録媒体までの光路に前記光ビームが前記光源から出射した後３つ以上の光ビームに分離する複数の異なる格子から成る回折格子を有し、前記ハウジングには、前記回折格子の光ビームに垂直な平面内での回転角度調整用に前記複数の異なる格子のうち１つの格子のみに前記光源からの前記光ビームを照射できるように前記回折格子をスライドすることができる隙間を設けていることを特徴とする光ヘッド。
【請求項２】
前記回折格子は、前記異なる格子の少なくとも１つの格子が、前記回折格子に到達する光ビームの照射面積より充分大きく、前記回折格子を角度調整のために前記隙間にスライドさせたときに、一方の格子面内に光ビームを充分取り込んだ状態になることを特徴とする請求項１記載の光ヘッド。
【請求項３】
回折格子の第１の格子のみに光ビームを取り込んだ状態で、検出器の信号を観測することにより前記回折格子の前記光ビームに垂直な平面内での回転角度を調整する角度調整工程と、
前記回折格子を前記角度調整工程で調整した回転角度を保ったまま、ハウジング内を平行移動させ、前記光ビームを少なくとも２つ以上の格子に取り込んだ状態とするスライド工程と、
前記光ビームを前記少なくとも２つ以上の格子に取り込んだ状態で、前記検出器の信号を観測することにより前記回折格子の前記光ビームに垂直な平面内での位置を調整する位置調整工程を含むことを特徴とする光ヘッドの製造方法。
【請求項４】
前記検出器の信号は、差動プッシュプル信号、メインプッシュプル信号、サブプッシュプル信号の少なくとも１つの信号であることを特徴とする請求項３記載の光ヘッドの製造方法。
【請求項５】
請求項３または４記載の光ヘッドの製造方法により製造されたことを特徴とする光ヘッド。
【請求項６】
請求項１，２，５のいずれか１項に記載の光ヘッドを用いたことを特徴とする光記録再生装置。
【発明の詳細な説明】
【技術分野】
【０００１】
本発明は、光ディスク等の光記録媒体にデジタル情報の記録又は再生を行う光ヘッド、
その製造方法及び光記録再生装置に関する。
【背景技術】
【０００２】
光ヘッドは、光源である半導体レーザから出射された光ビームを導くための複数の光学
素子からなる光学系と、上記光ビームを光記録媒体に所定のスポット径となるように照射
するとともにその戻り光ビームを上記光学系に導く対物レンズをトラッキング方向、フォ
ーカス方向等に駆動する対物レンズ駆動装置と、光学系及び対物レンズ駆動装置が搭載さ
れ光記録媒体の半径方向に摺動可能なハウジングとから概略構成されている。
【０００３】
光ヘッドは、一般に光ディスク内にある所定の記録トラック上に正しく集光スポットを照射するため、フォーカスエラー信号およびトラッキングエラー信号を検出し、これら各エラー信号を用いて対物レンズの位置制御をおこなう構成になっている。このうちトラッキングエラー信号の検出方式としては、３スポット方式、プッシュプル方式、差動プッシュプル方式等が代表的な検出方式として知られている（例えば、特許文献１参照）。（以下、説明を簡略化するため、便宜上この差動プッシュプル方式を従来型ＤＰＰ方式と記す。）
【０００４】
特に従来型ＤＰＰ方式は、比較的簡略な光学系によって感度の高いトラッキングエラー信号が検出できるうえ、対物レンズの変位や光ディスクの傾きなどに起因するトラッキングエラー信号のオフセットが良好に除去された信頼性の高いトラッキングエラー信号を検出できる。
【０００５】
また、従来型ＤＰＰ方式の利点を生かしつつディスクのトラックピッチの違いに依存せず、どのようなトラックピッチを有する光ディスクに対しても常に良好なトラッキングエラー信号が検出できるトラッキングエラー信号検出方式が提案されている（例えば、特許文献２参照）。
【０００６】
そのトラッキングエラー信号検出方式は、前述した従来型ＤＰＰ方式とほぼ同様の検出光学系でトラッキングエラー信号が検出できるが、唯一異なる点は、レーザ光源を発した光ビームを３本の光ビームに回折分離する回折格子として、略半面に形成された格子溝の周期構造の位相がもう一方の略半面に形成された格子溝の周期構造の位相に対して略１８０度ずれた特殊な周期構造をもった図５で示す回折格子を用いる点である。
【０００７】
このような特殊な周期構造の格子溝パターンを持った回折格子を配置すると、光ディスク上に照射された３個の集光スポットを従来型ＤＰＰ方式とは違って全く同一の案内溝上を照射するように配置しても、メイン光スポットに対応する検出光スポットから検出されるプッシュプル信号（ＭＰＰ信号）とサブスポットのそれぞれに対応する検出光スポットから検出されるプッシュプル信号（ＳＰＰ信号）は、互いにその信号波形が逆位相になって出力される。したがって従来型ＤＰＰ方式と全く同様の演算回路によって従来型ＤＰＰ方式と全く同様のトラッキングエラー信号が検出できるようになる。
【０００８】
このように上記方式は、同一の案内溝上に３個の集光スポットを同時に照射しても従来型ＤＰＰ方式と同様の差動プッシュプル方式によるトラッキングエラー信号を検出できることから、結果的にディスクのトラックピッチの違いに全く依存せず、トラッキングオフセットが良好に除去されたトラッキングエラー信号を検出することできる。（以下、このトラッキングエラー信号検出方式をインライン型ＤＰＰ方式と記す。）
【０００９】
前記したようなインライン型ＤＰＰ方式の利点を保持したままさらに改良されたインライン型ＤＰＰ方式も考えられている（例えば、特許文献１参照）。その方式では、上記の回折格子の代わりに、図６で示す回折格子を用いる。
【００１０】
図６は、そのインライン型ＤＰＰ方式で用いられる回折格子３０の格子パターンを示した斜視図である。回折格子３０の格子面には一定の周期で格子溝が形成されているが、その格子面は図のように格子溝が刻まれている方向に対して直交する分割線で少なくとも３つの領域に分割されている。すなわち光ディスクのトラッキング方向に相当する方向に少なくとも３つの領域３１、３２、３３に分割されているわけである。このうち中央部の領域３２は所定の幅Ｗをもっている。またこの中央部領域３２内に周期的に設けられている格子溝の位相に対して領域３２に隣接する領域３１内に周期的に設けられている格子溝の位相は＋９０度ずれている。すなわち、領域３１内に設けられている格子溝は中央部領域３２内に設けられている格子溝に対して格子溝周期の約４分の１分だけ配置がずれているわけである。一方、反対側に隣接している領域３３内に設けられている格子溝の位相は中央部領域３２内に設けられている格子溝の位相に対して−９０度ずれている。すなわち、領域３３内に設けられている格子溝は中央部領域３２内に設けられている格子溝に対して、領域３１内に設けられている格子溝とは反対側に格子溝周期の約４分の１分だけ配置がずれているわけである。したがって、領域３１と領域３３内に設けられた格子溝は、互いに位相で１８０度すなわち格子溝周期の２分の１分だけ配置がずれている。
【００１１】
【特許文献１】特開２００４−１４５９１５号公報
【特許文献２】特開平９−８１９４２号公報
【発明の開示】
【発明が解決しようとする課題】
【００１２】
インライン型ＤＰＰでの光ヘッドを組み立てる際、図５、図６で示したような異なる複数の格子パターンを持つ回折格子をハウジングに取り付けるときに、複数に分割された回折格子の概略中央に光ビームを照射し、調整用の光記録媒体の１つのトラック上に回折格子によって得られた０次光と＋１次光と−１次光が照射されるように回折格子の光ビームと垂直な平面内での回転角度と位置を調整する。その調整では、光記録媒体から反射されて検出器に入射されることによって生じる検出器からの電気信号を見ながら回折格子の位置と回折格子の光源からの光ビームと垂直な平面内での回転角度を調整する。このとき、検出器は、０次光と＋１次光と−１次光それぞれの光を検出するように３個の検出部が設けられており、その３個の検出部のそれぞれは光記録媒体であるディスクの接線方向に２分割されたものとなっている。そして、それぞれの検出部は、２分割された受光面からのそれぞれの出力信号の差信号によってプッシュプル信号が得られる。０次光から得られるプッシュプル信号がメインプッシュプル信号（ＭＰＰ信号）であり、＋１次光と−１次光から得られるプッシュプル信号がサブプッシュプル信号（ＳＰＰ信号）である。０次光と＋１次光と−１次光の配列は、回折格子の回転角度を調整することによってディスクの接線方向に調整する必要がある。このとき、回折格子によって得られる０次光と＋１次光と−１次光が１つのトラック上に照射されるようにするため、回折格子の回転角度の調整は、ＭＰＰ信号から２つのＳＰＰ信号の和を増幅倍して減算した値、すなわち、ＤＰＰ信号が最大となるか、あるいはＭＰＰ信号とＳＰＰ信号の位相差が所定の値となるように調整していた。また、回折格子の位置の調整は、±１次光が対物レンズに上に到達した時、図５の回折格子の場合は分割線が、図６の回折格子の場合は中央部の領域が、(トラッキング方向、すなわちディスク半径方向に変位していない) 対物レンズの中央に位置するよう調整する必要がある。図５の回折格子の分割線や、図６の中央部の領域が中央に位置していないと、対物レンズがディスク半径内外周方向に変位した場合、ＤＰＰあるいはＳＰＰ信号の劣化(振幅変化)がディスク半径内外周方向に対称とならない。それで、回折格子の位置の調整では、対物レンズをディスク半径方向に変位させたとき、ディスク半径内外周方向でのＤＰＰ信号(及びＳＰＰ信号)振幅変化が対称になるような位置に調整していた。
【００１３】
上記回折格子の回転角度と位置の調整は、少なくとも２種類の格子によって回折された光ビームの検出値によって行うが、この場合、回折格子の回転角度、及び位置のずれはいずれもＤＰＰ信号及びＳＰＰ信号振幅に影響を与える。格子の回転角度をＤＰＰ信号あるいはＳＰＰ信号が最大になるように調整しようとても、格子を回転させる際、格子の位置ずれを避けることが出来ず、位置ずれによるＤＰＰ信号振幅変化の影響を受け、格子の回転角度を精度良く調整することが困難となる。そのため、その後に回折格子の位置を調整した後、ＤＰＰが最大とはならない状態となり、再度、回折格子の回転角度を調整する必要が生じる場合がある。再度、格子の回転角度を調整した場合、格子の位置のずれを避けることは出来ないことから、再度、回折格子の位置の調整を調整する必要が生じることになる。このように、調整工程を繰り返し行わなければならず、工数の増大を招いてしまう。また、回折格子の角度を格子の位置ずれの影響無しに確定することが困難であるため、調整精度が劣ってしまう等の問題があった。
【００１４】
本発明は、上述した事情に鑑みてなされたものであり、上述のような課題を解決するこ
とができる光ヘッド、光ヘッドの製造方法及び光記録再生装置を提供することを目的とす
る。
【課題を解決するための手段】
【００１５】
本発明に係る光ヘッド、光ヘッドの製造方法及び光記録再生装置は、上記の目的を達成するために、次のように構成される。
第１の光ヘッド（請求項１に対応）は、光ビームを発生する光源と、光源から出射した光ビームを案内溝を含む光記録媒体に導く光学手段と、光ビームを光記録媒体に収束させる集光手段とをハウジングに有し、記録再生する光ヘッドであって、光源から光記録媒体までの光路に光ビームが光源から出射した後３つ以上の光ビームに分離する複数の異なる格子から成る回折格子を有し、ハウジングには、回折格子の光ビームに垂直な平面内での回転角度調整用に複数の異なる格子のうち１つの格子のみに光源からの光ビームを照射できるように回折格子をスライドすることができる隙間を設けていることを特徴とする。
第２の光ヘッド（請求項２に対応）は、上記の構成において、好ましくは、回折格子は、異なる格子の少なくとも１つの格子が、回折格子に到達する光ビームの照射面積より充分大きく、回折格子を角度調整のために隙間にスライドさせたときに、一方の格子面内に光ビームを充分取り込んだ状態になることを特徴とする。
第１の光ヘッドの製造方法（請求項３に対応）は、回折格子の第１の格子のみに光ビームを取り込んだ状態で、検出器の信号を観測することにより回折格子の光ビームに垂直な平面内での回転角度を調整する角度調整工程と、回折格子を角度調整工程で調整した回転角度を保ったまま、ハウジング内を平行移動させ、光ビームを少なくとも２つ以上の格子に取り込んだ状態とするスライド工程と、光ビームを少なくとも２つ以上の格子に取り込んだ状態で、検出器の信号を観測することにより回折格子の光ビームに垂直な平面内での位置を調整する位置調整工程を含むことを特徴とする。
第２の光ヘッドの製造方法（請求項４に対応）は、上記の方法において、好ましくは、検出器の信号は、差動プッシュプル信号、メインプッシュプル信号、サブプッシュプル信号の少なくとも１つの信号であることを特徴とする。
第３の光ヘッド（請求項５に対応）は、上記第１または第２の光ヘッドの製造方法により製造されたことを特徴とする。
第１の光記録再生装置（請求項６に対応）は、上記第１、第２、第５のいずれかに記載の光ヘッドを用いたことを特徴とする。
【発明の効果】
【００１６】
本発明によれば、複数の格子を持つ回折格子を搭載した光ヘッドにおいて、回折格子の回転角度の調整を１つの格子にのみ光ビームを照射した状態で行うことができるため、光束内位相が一様である−１次光と＋１次光と０次光を用いて、回折格子の回転角度の調整を行うことが可能となり、格子位置とは独立に容易に精度良く回折格子の回転角度を調整できる。それゆえ、回折格子の位置を調整した後の、再度の回転角度の調整が必要なくなり、調整工程の繰り返しの必要性がなくなり、調整工程の工数を削減できるので、低コスト化が図れる。また、調整精度が向上し、複数の媒体の記録再生を安定して行うことが可能となり、高性能な光ヘッドを得ることができる。
また、本発明によれば、上記のようにして得られた光ヘッドを用いることで高性能の光記録再生装置を得ることができる。
【発明を実施するための最良の形態】
【００１７】
図１は、本発明の実施形態に係る光ヘッドの斜視図である。図２は、本発明の実施形態に係る光ヘッド１の光学系の構成を示す概略図である。この光ヘッド１は、物理的トラックピッチが異なる複数種類の光記録媒体２のそれぞれにデジタル情報の記録又は再生を行うことができるように構成されている。複数種類の光記録媒体は、ＣＤ−ＲＯＭ、ＣＤ−Ｒ／ＲＷ、ＤＶＤ−ＲＯＭ、ＤＶＤ−ＲＡＭ、ＤＶＤ±Ｒ／ＲＷ及びこれらと同等の構造及び記憶容量を備えた光記録媒体である。
【００１８】
光ヘッド１は、ハウジング２１に光ビームを出射する光源として半導体レーザ光源３及び４を有している。半導体レーザ光源３は、ＤＶＤを記録再生するための波長６５０ｎｍの光ビーム（第１の光ビーム）を発光する。一方、半導体レーザ光源４は、ＣＤを記録再生するための波長７８０ｎｍの光ビーム（第２の光ビーム）を発光する。図１では、半導体レーザ光源３と半導体レーザ光源４は、それぞれレーザホルダ２２とレーザホルダ２５に入れた状態で示している。
【００１９】
半導体レーザ光源３と半導体レーザ光源４とは、半導体レーザ光源３から出射された第１の光ビームの光軸と、半導体レーザ光源４から出射された第２の光ビームの光軸とが互いに直交するように設けられている。
半導体レーザ光源３の光出射側の所定位置には、図６で示した回折格子３０と同様の回折格子５が配置されている。この回折格子５には、半導体レーザ光源３から出射された、第１の光ビームを３本の光ビーム（０次の主ビームと±１次の副ビーム）（図示略）に分割するために最適化された回折格子パターンが形成されている。即ち、回折格子５は、光記録媒体２の表面（情報記録面）において、主ビームの集光位置を中心にトラック方向に所定距離隔てて対称な位置に±１次の副ビームが集光されるように、半導体レーザ光源３から出射された第１の光ビームを分割する。
【００２０】
また、半導体レーザ光源４の光出射側の所定位置にも、一種類の格子で構成された回折格子６が配置されている。この回折格子６には、半導体レーザ光源４から出射された、第２の光ビームを３本の光ビーム（０次の主ビームと±１次の副ビーム）（図示略）に分割するために最適化された回折格子パターンが形成されている。即ち、回折格子６は、光記録媒体２の表面（情報記録面）において、主ビームの集光位置を中心にトラック方向に所定距離隔てて対称な位置に±１次の副ビームが集光されるように、半導体レーザ光源４から出射された第２の光ビームを分割する。
【００２１】
半導体レーザ光源３から見て回折格子５の光透過側であって、半導体レーザ光源４から見て回折格子６の光透過側であり、かつ、上記半導体レーザ光源３から出射された第１の光ビームの光軸と、半導体レーザ光源４から出射された第２の光ビームの光軸とが互いに直交する位置には、ダイクロイックプリズム７が配置されている。ダイクロイックプリズム７は、略立方体形状を呈しており、第１の光ビームをほぼ全透過するとともに、内部の接合面７ａにより第２の光ビームを直角方向にほぼ全反射する。
【００２２】
ダイクロイックプリズム７の回折格子５と対向する面７ｂと反対側の面７ｃ側には、偏
光ビームスプリッタ８が配置されている。偏光ビームスプリッタ８は、内部の接合面８ａ
によりダイクロイックプリズム７からの光ビームを直角方向に９０％以上反射して後述す
る４分の１波長板９に入射させるとともに、残りの数％程度を透過させて後述するフロン
トモニタ用光検出器１３に入射させる。また、偏光ビームスプリッタ８は、４分の１波長
板９からの戻り光ビーム（以下、「復路光ビーム」という。）を透過して後述するセンサ
レンズ１４に入射させる。
【００２３】
偏光ビームスプリッタ８のダイクロイックプリズム７と対向する面８ｂと隣接して直交
する面８ｃ側には、４分の１波長板９、コリメートレンズ１０、立ち上げプリズム１１及
び対物レンズ１２がこの順に並んで配置されている。
４分の１波長板９は、偏光ビームスプリッタ８からの主ビーム並びに±１次の副ビーム
の偏光ビーム（以下、「往路光ビーム」という。）の直線偏光成分を円偏光成分に変換する。また、４分の１波長板９は、コリメートレンズ１０からの復路光ビームの円偏光成分を上記往路光ビームの偏光方位と直交する方向の直線偏光成分に変換する。
【００２４】
コリメートレンズ１０は、４分の１波長板９からの拡散する光ビームを平行光ビームに
変換するとともに、立ち上げプリズム１１からの平行光ビームを集束する光ビームに変換
する。また、図２では、半導体レーザ光源３と半導体レーザ光源４からの光ビームは、光記録媒体２まで、同一の平面上を伝搬するように描かれているが、実際は、光記録媒体２の反射面は紙面とは別の平面上にあり、立ち上げプリズム１１によって、コリメートレンズ１０からの往路光ビームを反射して光路を曲げて光記録媒体２の方向に立ち上げ、紙面とは別の平面上に設置された対物レンズ１２に入射させる。なお、図２では、模式的に対物レンズ１２と光記録媒体２を同一紙面に描いている。また、立ち上げプリズム１１は、対物レンズ１２からの復路光ビームを反射して光路を曲げてコリメートレンズ１０に入射させる。対物レンズ１２は、立ち上げプリズム１１からの平行光ビームを光記録媒体２の情報記録面に集光するとともに、光記録媒体２からの反射光ビームを平行光ビームに変換する。
【００２５】
また、偏光ビームスプリッタ８のダイクロイックプリズム７と対向する面８ｂと反対側
の面８ｄ側には、フロントモニタ用光検出器１３が配置されている。フロントモニタ用光
検出器１３は、半導体レーザ光源３又は４から出射された第１又は第２の光ビームの光強度を計測する。このフロントモニタ用光検出器１３の出力に基づいて半導体レーザ光源３及び４の出力が調整される。
【００２６】
一方、偏光ビームスプリッタ８の４分の１波長板９と対向する面８ｃと反対側の面８ｅ
側には、センサレンズ１４及び光検出器１５がこの順に配置されている。センサレンズ１
４は、光記録媒体２で反射された主ビーム及び±１次の副ビームを所定の倍率で拡大する。また、光検出器１５は、受光した各光ビームをそれぞれ分割された各受光領域（図示略）においてそれぞれ独立に光電変換して電気信号を出力する。
【００２７】
光ヘッド１は、図１と図２に示す光学系の他、対物レンズ１２を駆動する対物レンズ駆動装置（図示略）と、図１に示すハウジング２１とを有している。ハウジング２１は、例えば、亜鉛（Ｚｎ）、アルミニウム（Ａｌ）、マグネシウム（Ｍｇ）等の各種金属、又はこれらの合金などからなる。対物レンズ駆動装置は、図示しないが、ハウジング２１上部に取り付けられることにより、ハウジング２１に支持されるように構成されている。
【００２８】
また、図１において、上記ハウジング２１には、半導体レーザ光源から出射される光ビームが、３種類の格子３１，３２，３３のうちの１つの格子のみに照射されるように回折格子５を移動できるように隙間２７が設けられている。すなわち、ハウジング２１には、回折格子５の角度調整用に回折格子５をスライドすることができる隙間２７を設けている。そして、回折格子５は、複数の異なる格子から成り、異なる格子の少なくとも１つの格子が、回折格子５に到達する光ビームの照射面積より充分大きく、回折格子５を角度調整のために隙間２７にスライドさせたときに、一方の格子面内に光ビームを充分取り込んだ状態になるようにできる。
【００２９】
さらに、上記ハウジング２１は、その内部に、上記した、回折格子５及び６、ダイクロ
イックプリズム７、偏光ビームスプリッタ８、４分の１波長板９、コリメートレンズ１０
、立ち上げプリズム１１、フロントモニタ用光検出器１３、センサレンズ１４並びに光検
出器１５が収容可能な形状に形成されている。
【００３０】
次に、上記構成を有する光ヘッド１の製造方法について図３、図４、図６を参照して説明する。図３は、光ヘッドを製造するときの回折格子の取り付け工程を示す工程図である。図４は、光ヘッドを製造するときの回折格子の取り付け工程の様子を示す模式図である。図６は、取り付けられる回折格子の模式図である。前提として、回折格子以外の部品、例えば、半導体レーザ光源３並びに光検出器１５、ダイクロイックプリズム７、偏光ビームスプリッタ８、４分の１波長板９、コリメートレンズ１０、立ち上げプリズム１１、フロントモニタ用光検出器１３及びセンサレンズ１４については、既に位置調整されて接着剤等を用いて固定されているものとする。この場合に用いられる接着は、紫外線硬化樹脂、熱硬化樹脂、あるいはエポキシ樹脂でも良い。ここでは、回折格子５の取り付け工程について説明する。
【００３１】
この実施形態では、光ヘッドの製造方法において、回折格子５のハウジング２１への取り付けの際に、まず、回折格子５の光ビームに垂直な平面内での回転角度を調整し、その後に位置を調整する。
ステップＳ１１の角度調整工程では、まず、図４（ａ）に示すように、回折格子５の光ビームと垂直な平面内での回転角度を調整する際、複数ある格子３１，３２，３３のうち、一つの格子３１の面内に光軸を含む光ビーム３５が照射されるように、回折格子５をハウジング２１の隙間２７の方向に移動させ、格子の位置を設定する。このときの回折格子５での光ビーム３５の照射位置を図５の符号３５Ａで示す。この位置で、光検出器１５によって、ＤＰＰ信号が最大となるようにし、あるいは、ＭＰＰ信号とＳＰＰ信号の位相差が所定の値となるように回折格子５の光ビームと垂直な平面内での回転角度を調整する。
【００３２】
この回折格子５の角度調整では、一つの格子３１の面内の符号３５Ａで示した位置に光ビーム３５を照射した状態で回折格子５の回転角度を調整するため、回折格子の格子３１によって回折された＋１次光と−１次光は、従来のインライン型ＤＰＰの調整方法と異なり、回折格子の位置の影響を受けずに、容易にかつ精度良くＤＰＰ信号が最大になるように格子の回転角度を調整することができる。
【００３３】
ステップＳ１２のスライド工程では、ステップＳ１１で設定した回折格子５の回転角度を保ったまま、回折格子５の位置を図４（ｂ）に示すように光ビーム３５が回折格子５の中央に照射されるような位置、すなわち、図６で示される格子３１，３２，３３にまたがる符号３５Ｂで示す位置に光ビームが照射されるようにハウジング２１内でスライドさせて平行移動させる。
【００３４】
ステップＳ１３の位置調整工程では、回折格子５の光ビームと垂直な平面内での位置を光ビーム３５が格子３１，３２，３３にまたがる位置３５Ｂに照射されるように調整した後、位置調整を光検出器１５からの電気信号を指標として、位置の微調整を行う。対物レンズをディスク半径方向前後に変位させたときのＤＰＰ信号あるいはＳＰＰ信号の振幅の劣化が対物レンズのディスク半径方向前後変位に対して対称になるような位置に回折格子５の位置を調整する。
【００３５】
その後、ハウジングに接着剤によって接着する。
【００３６】
上記光ヘッドの製造方法によれば、ハウジング２１に隙間２７が設けられているので、回折格子の回転角度の調整は、１種類の格子によって回折された光ビームの検出値によって行うため、回転角度調整時に格子の位置変位によるＤＰＰ信号あるいはＳＰＰ信号振幅劣化の影響を受けない。そのため、ＤＰＰ信号あるいはＳＰＰ信号振幅が最大になるように回折格子の回転角度を調整すれば、回折格子の回転角度は確定する。その後に回折格子の位置を調整すればよい。これにより、調整工程を繰り返し行う必要がなくなる。また、格子の位置ずれによる影響を受けずに格子の回転角度を確定することが出来るため、調整精度が向上する。
【００３７】
このように、本発明の実施の形態によれば、複数の格子を持つ回折格子を搭載した光ヘッドにおいて、回折格子の角度と位置の調整工程を繰り返し行う必要がなくなるため、調整工程の工数を削減でき、低コスト化を図ることができる。また、回折格子の回転角度及び位置の調整精度が向上し、複数の媒体の記録再生を安定して行うことが可能となり、高性能な光ヘッドが供給できる。
【００３８】
図７は、本発明の実施の形態に係る光記録再生装置の構成を示す概略図である。この光記録再生装置は、光ヘッド１と、スピンドルモータ４２と、スピンドルモータ駆動回路４３と、コントローラ４４と、送りモータ４５と、送りモータ駆動回路４６と、レーザ駆動回路４７と、レンズ駆動回路４８とから概略構成されている。
【００３９】
コントローラ４４は、フォーカスサーボ追従回路５１と、トラッキングサーボ追従回路
５２と、スキュー調整回路５３と、レーザコントロール回路５４とを有している。フォー
カスサーボ追従回路５１は、光ヘッド１から供給される焦点ズレ誤差信号ＦＥＳに基づ
いて、回転している光記録媒体２の情報記録面に光ヘッド１から出射された光ビームの
フォーカスをかけるためのフォーカスサーボ信号を生成し、レンズ駆動回路４８に供給す
る。
【００４０】
トラッキングサーボ追従回路５２は、光ヘッド１から供給されるトラッキング誤差信
号ＴＥＳに基づいて、光記録媒体２の偏芯している信号トラックに対して、光ヘッド１から出射された光ビームのビームスポットを追従させるためのトラッキングサーボ信号を生成し、レンズ駆動回路４８に供給する。スキュー調整回路５３は、光ヘッド１から供給されるトラッキング誤差信号ＴＥＳ等に基づいて、光ヘッド１を構成する対物レンズ１２（図２参照）をラジアル方向やタンジェンシャル方向に傾斜させるためのスキュー調整信号を生成し、レンズ駆動回路４８に供給する。レーザコントロール回路５４は、光ヘッド１から供給される情報読み取り信号ＳＵＭから抽出された光記録媒体２に記録されている記録条件設定情報に基づいて、適切なレーザ駆動信号の生成を行う。
【００４１】
コントローラ４４は、デジタルシグナルプロセッサ（ＤＳＰ）、シーケンサ等のハード
ウェアで構成しも良いし、ＣＰＵ（中央処理装置）が上記フォーカスサーボ追従回路５１
、上記トラッキングサーボ追従回路５２、上記スキュー調整回路５３及び上記レーザコン
トロール回路５４が行う処理をプログラムに基づいて実行するように構成しても良い。
【００４２】
スピンドルモータ駆動回路４３は、コントローラ４４の制御の下、スピンドルモータ４
２を駆動して光記録媒体２を回転させる。コントローラ４４は、光ヘッド１から供給さ
れるトラッキング誤差信号ＴＥＳ、焦点ズレ誤差信号ＦＥＳ及び情報読み取り信号ＳＵＭ
に基づいて、スピンドルモータ駆動回路４３、送りモータ駆動回路４６、レーザ駆動回路
４７及びレンズ駆動回路４８をそれぞれ制御する。
【００４３】
送りモータ駆動回路４６は、コントローラ４４の制御の下、送りモータ４５を駆動して
光ヘッド１を光記録媒体２の半径方向に移動させる。レーザ駆動回路４７は、コントロ
ーラ４４の制御の下、光ヘッド１を構成する半導体レーザ光源３及び４（図２参照）を駆動するためのレーザ駆動信号を生成し、光ヘッド１に供給する。レンズ駆動回路４８は、
コントローラ４４の制御の下、光ヘッド１を構成する対物レンズ１２（図２参照）のフォーカシング、トラッキング及びチルトを制御するためのレンズ駆動信号を生成し、光ヘッド１に供給する。
【００４４】
このように、本発明の実施の形態によれば、光ヘッド１を用いて光記録再生装置を構成している。従って、良好な状態で光記録媒体にデジタル情報の記録又は再生を行うことができる。
【００４５】
なお、上述の実施の形態では、光源としての半導体レーザ光源が２個設けられている光ヘッドや光ヘッドが１個のみ設けられている光記録再生装置の例を示したが、これに限定されない。本発明は、光源が１個又は３個以上設けられている光ヘッドや光ヘッドが複数個設けられている光記録再生装置にも適用することができる。
【００４６】
また、上述の実施の形態では、ハウジング２１に回折格子５をスライドさせて図６で示した格子３１にのみに光ビームを照射できるように隙間２７を設けるようにしたが、それに限らず、回折格子５をスライドさせて図６で示した格子３３にのみに光ビームを照射できるようにハウジング２１に隙間を設けても良い。さらに、図６で示した格子３１のみか格子３３のみかのどちらでも光ビームを照射できるようにハウジング２１に隙間を設けるようにしても良い。
【００４７】
以上の実施形態で説明された構成、配置関係等については本発明が理解・実施できる程度に概略的にしたものにすぎない。従って本発明は、説明された実施形態に限定されるものではなく、特許請求の範囲に示される技術的思想の範囲を逸脱しない限り様々な形態に変更することができる。
【産業上の利用可能性】
【００４８】
本発明は、光ディスク等の光記録媒体にデジタル情報の記録又は再生を行う光ヘッド、
その製造方法及び光記録再生装置として利用される。
【図面の簡単な説明】
【００４９】
【図１】本発明の実施形態に係る光ヘッドの斜視図である。
【図２】本発明の実施形態に係る光ヘッドの光学系の構成を示す概略図である。
【図３】光ヘッドを製造するときの回折格子の取り付け工程を示す工程図である。
【図４】光ヘッドを製造するときの回折格子の取り付け工程の様子を示す模式図である。
【図５】回折格子の模式図である。
【図６】回折格子の模式図である。
【図７】本発明の実施形態に係る光記録再生装置の構成を示す概略図である。
【符号の説明】
【００５０】
１          光ヘッド
２          光記録媒体
２ａ        第１の光記録媒体
２ｂ        第２の光記録媒体
３，４      半導体レーザ光源
５，６      回折格子
７          ダイクロイックプリズム
７ａ，８ａ  接合面
７ｂ，７ｃ，８ｂ，８ｃ，８ｄ，８ｅ  面
８          偏光ビームスプリッタ
９          ４分の１波長板
１０        コリメートレンズ
１１        立ち上げプリズム
１２        対物レンズ
１３        フロントモニタ用光検出器
１４        センサレンズ
１５        光検出器
２１        ハウジング
２２，２５  レーザホルダ
２３，２４  接着剤
２７        隙間
３０        回折格子
４２        スピンドルモータ
４３        スピンドルモータ駆動回路
４４        コントローラ
４５        送りモータ
４６        送りモータ駆動回路
４７        レーザ駆動回路
４８        レンズ駆動回路
５１        フォーカスサーボ追従回路
５２        トラッキングサーボ追従回路
５３        スキュー調整回路
５４        レーザコントロール回路
【図１】
2009020976.tif 000003
【図２】
2009020976.tif 000004
【図３】
2009020976.tif 000005
【図４】
2009020976.tif 000006
【図５】
2009020976.tif 000007
【図６】
2009020976.tif 000008
【図７】
2009020976.tif 000009